(57)【特許請求の範囲】
【請求項１】
装置本体と、
搬送されてきた用紙が通過する第１搬送路と、
前記第１搬送路を通過したのち搬送方向を反転させられた用紙が前記第１搬送路に再度合流するまでに通過する搬送路であって前記搬送路の下流側に湾曲部を備えた第２搬送路と、
前記第２搬送路の一方の案内面を構成する第１案内部材と、
前記第２搬送路における前記湾曲部において、前記第１案内部材とは他方の案内面を構成する第２案内部材と、
前記第１搬送路のうち、前記第２搬送路との合流点よりも上流側の上流側搬送路の一方の案内面を構成する第３案内部材と、
前記上流側搬送路における、前記第３案内部材とは他方の案内面を構成する第４案内部材と、を備え、
前記第１案内部材および前記第３案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第１案内部材と前記第２案内部材、および前記第３案内部材と前記第４案内部材との間隔が広がるように構成され、
前記案内姿勢において、前記第１案内部材の回転中心は、前記第３案内部材の回転中心よりも前記湾曲部から離れた位置に設けられていることを特徴とする用紙搬送装置。
【請求項２】
前記第３案内部材は、前記第２案内部材と一体の案内部材であることを特徴とする請求項１に記載の用紙搬送装置。
【請求項３】
前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする請求項１又は２に記載の用紙搬送装置。
【請求項４】
装置本体と、
搬送されてきた用紙が通過する第１搬送路と、前記第１搬送路を通過したのち搬送方向を反転させられた用紙が前記第１搬送路に再度合流するまでに通過する搬送路であって前記搬送路の下流側に湾曲部を備えた第２搬送路と、を有する用紙搬送部と、前記第１搬送路を搬送される用紙に画像を形成する画像形成部と、を有し、
前記用紙搬送部が、
前記第２搬送路の一方の案内面を構成する第１案内部材と、
前記第２搬送路における前記湾曲部において、前記第１案内部材とは他方の案内面を構成する第２案内部材と、
前記第１搬送路のうちの、前記第２搬送路との合流点よりも上流側の上流側搬送路の一方の案内面を構成する、前記第２案内部材と一体の案内部材である第３案内部材と、を備え、
前記第１案内部材および前記第３案内部材は、用紙を案内する案内姿勢と、前記案内姿勢から回転して前記案内面を開放する開放姿勢との間で回転可能に支持される
ことを特徴とする画像形成装置。
【請求項５】
前記画像形成装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする請求項４に記載の画像形成装置。
【請求項６】
装置本体と、
搬送されてきた用紙が通過する第１搬送路と、
前記第１搬送路を通過したのち搬送方向を反転させられた用紙が前記第１搬送路に再度合流するまでに通過する第２搬送路と、
前記第２搬送路の一方の案内面を構成する第１案内部材と、
前記第２搬送路において、前記第１案内部材とは他方の案内面を構成する第２案内部材と、を備え、
前記第２案内部材は前記第１搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする用紙搬送装置。
【請求項７】
前記第２案内部材は、前記第１案内部材の、前記案内姿勢から前記開放姿勢への回転に伴って前記第１案内部材による支えを失い、回転して前記上流側搬送路の一方の案内面を開放する
ことを特徴とする請求項６記載の用紙搬送装置。
【請求項８】
前記第２案内部材は、前記第１案内部材とともに前記第２搬送路を構成する案内姿勢と、前記案内姿勢から回転した開放姿勢との間で回転可能に支持されるものであり、
前記第２搬送路が下流側に湾曲部を備えた搬送路であって、
前記第１案内部材の回転中心は、前記第２案内部材の回転中心よりも前記湾曲部から離れた位置に設けられており、
前記第１案内部材および前記第２案内部材がそれぞれ前記開放姿勢に回転したときに回転軸の位置の違いから、前記第１案内部材と前記第２案内部材との間隔を広げるものであることを特徴とする請求項６又は７に記載の用紙搬送装置。
【請求項９】
前記用紙搬送装置は、前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第２案内部材は、前記開閉扉の開放動作に伴って自重により前記案内姿勢から前記開放姿勢へと回転するものであることを特徴とする請求項８に記載の用紙搬送装置。
【請求項１０】
前記第２案内部材は、前記開閉扉の開放動作に伴って、前記第２搬送路の前記一方の案内面と、前記上流側搬送路の前記一方の案内面との双方を開放するものであることを特徴とする請求項９に記載の用紙搬送装置。
【請求項１１】
装置本体と、
第１搬送路上を搬送中の用紙に画像を形成する画像形成部と、
前記第１搬送路上を搬送させ、前記画像形成部で第１面に画像を形成させた用紙の搬送方向を反転し、さらに、前記第１搬送路に再度合流するまでに通過する搬送路である第２搬送路上を搬送させ、前記画像形成部よりも上流側において前記第１搬送路に合流させて再度前記第１搬送路上を搬送させることで前記画像形成部に前記用紙の第２面にも画像を形成させる用紙搬送部を備え、
前記用紙搬送部が、
前記第２搬送路の一方の案内面を構成する第１案内部材と、
前記第２搬送路において、前記第１案内部材とは他方の案内面を構成する第２案内部材と、を備え、
前記第２案内部材は前記第１搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする画像形成装置。
【発明の詳細な説明】
【技術分野】
【０００１】
本件は、用紙搬送装置および画像形成装置に関する。
【背景技術】
【０００２】
従来、用紙の両面に画像形成する画像形成装置が知られている。このような画像形成装置では、用紙は、第１の搬送路上を搬送中に画像形成部によって第１面に画像が形成される。その後、用紙の搬送方向が反転され、用紙は、第２の搬送路上を搬送されて、画像形成部よりも上流側において第１搬送路に合流される。そして、用紙は、再度第１搬送路上を搬送され、その搬送中に、用紙の第２面にも画像が形成される。
【０００３】
このような画像形成装置において、第１の搬送路や第２の搬送路上のどこかで用紙が詰まった場合、詰まった用紙の除去のために、その用紙の少なくとも一部を露出させる機構が提案されている（例えば、特許文献１参照）。多くの場合、ユーザは、詰まった用紙の除去に当たって、露出させた用紙の一部を掴んで、残りの部分を画像形成装置から引き抜くこととなる。
【先行技術文献】
【特許文献】
【０００４】
【特許文献１】特開２００７−４７５７１号公報
【発明の概要】
【発明が解決しようとする課題】
【０００５】
本発明は、搬送路上で詰まった用紙を引き抜く際の引抜き抵抗が抑えられた用紙搬送装置および画像形成装置を提供することを目的とするものである。
【課題を解決するための手段】
【０００６】
請求項１の用紙搬送装置は、
装置本体と、
搬送されてきた用紙が通過する第１搬送路と、
前記第１搬送路を通過したのち搬送方向を反転させられた用紙が前記第１搬送路に再度合流するまでに通過する搬送路であって前記搬送路の下流側に湾曲部を備えた第２搬送路と、
前記第２搬送路の一方の案内面を構成する第１案内部材と、
前記第２搬送路における前記湾曲部において、前記第１案内部材とは他方の案内面を構成する第２案内部材と、
前記第１搬送路のうち、前記第２搬送路との合流点よりも上流側の上流側搬送路の一方の案内面を構成する第３案内部材と、
前記上流側搬送路における、前記第３案内部材とは他方の案内面を構成する第４案内部材と、を備え、
前記第１案内部材および前記第３案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第１案内部材と前記第２案内部材、および前記第３案内部材と前記第４案内部材との間隔が広がるように構成され、
前記案内姿勢において、前記第１案内部材の回転中心は、前記第３案内部材の回転中心よりも前記湾曲部から離れた位置に設けられていることを特徴とする。
【０００８】
また、請求項２の用紙搬送装置は、請求項１の用紙搬送装置であって、前記第３案内部材は、前記第２案内部材と一体の案内部材であることを特徴とする。
【０００９】
請求項３の用紙搬送装置は、請求項１又は２に記載の用紙搬送装置であって、
前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする。
【００１０】
請求項４の画像形成装置は、
装置本体と、
搬送されてきた用紙が通過する第１搬送路と、前記第１搬送路を通過したのち搬送方向を反転させられた用紙が前記第１搬送路に再度合流するまでに通過する搬送路であって前記搬送路の下流側に湾曲部を備えた第２搬送路と、を有する用紙搬送部と、前記第１搬送路を搬送される用紙に画像を形成する画像形成部と、を有し、
前記用紙搬送部が、
前記第２搬送路の一方の案内面を構成する第１案内部材と、
前記第２搬送路における前記湾曲部において、前記第１案内部材とは他方の案内面を構成する第２案内部材と、
前記第１搬送路のうちの、前記第２搬送路との合流点よりも上流側の上流側搬送路の一方の案内面を構成する、前記第２案内部材と一体の案内部材である第３案内部材と、を備え、
前記第１案内部材および前記第３案内部材は、用紙を案内する案内姿勢と、前記案内姿勢から回転して前記案内面を開放する開放姿勢との間で回転可能に支持される
ことを特徴とする。
【００１１】
請求項５の画像形成装置は、請求項４に記載の画像形成装置において、
前記画像形成装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする。
請求項６の用紙搬送装置は、
装置本体と、
搬送されてきた用紙が通過する第1搬送路と、
前記第1搬送路を通過したのち搬送方向を反転させられた用紙が前記第1搬送路に再度合流するまでに通過する第２搬送路と、
前記第２搬送路の一方の案内面を構成する第１案内部材と、
前記第２搬送路において、前記第１案内部材とは他方の案内面を構成する第２案内部材と、を備え、
前記第２案内部材は前記第1搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする。
請求項７の用紙搬送装置は、請求項６の用紙搬送装置において、前記第２案内部材は、前記第１案内部材の、前記案内姿勢から前記開放姿勢への回転に伴って前記第１案内部材による支えを失い、回転して前記上流側搬送路の一方の案内面を開放することを特徴とする。
請求項８の用紙搬送装置は、請求項６又は７に記載の用紙搬送装置において、
前記第２案内部材は、前記第１案内部材とともに前記第２搬送路を構成する案内姿勢と、前記案内姿勢から回転した開放姿勢との間で回転可能に支持されるものであり、
前記第２搬送路が下流側に湾曲部を備えた搬送路であって、
前記第１案内部材の回転中心は、前記第２案内部材の回転中心よりも前記湾曲部から離れた位置に設けられており、
前記第１案内部材および前記第２案内部材がそれぞれ前記開放姿勢に回転したときに回転軸の位置の違いから、前記第１案内部材と前記第２案内部材との間隔を広げるものであることを特徴とする。
請求項９の用紙搬送装置は、請求項８の用紙搬送装置において、
前記用紙搬送装置は、前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第２案内部材は、前記開閉扉の開放動作に伴って自重により前記案内姿勢から前記開放姿勢へと回転するものであることを特徴とする。
請求項１０の用紙搬送装置は、請求項９に記載の用紙搬送装置において、
前記第２案内部材は、前記開閉扉の開放動作に伴って、前記第２搬送路の前記一方の案内面と、前記上流側搬送路の前記一方の案内面との双方を開放するものであることを特徴とする。
請求項１１の画像形成装置は、
装置本体と、
第１搬送路上を搬送中の用紙に画像を形成する画像形成部と、
前記第１搬送路上を搬送させ、前記画像形成部で第１面に画像を形成させた用紙の搬送方向を反転し、さらに、前記第１搬送路に再度合流するまでに通過する搬送路である第２搬送路上を搬送させ、前記画像形成部よりも上流側において前記第１搬送路に合流させて再度前記第１搬送路上を搬送させることで前記画像形成部に前記用紙の第２面にも画像を形成させる用紙搬送部を備え、
前記用紙搬送部が、
前記第２搬送路の一方の案内面を構成する第１案内部材と、
前記第２搬送路において、前記第１案内部材とは他方の案内面を構成する第２案内部材と、を備え、
前記第２案内部材は前記第1搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする。
【発明の効果】
【００１２】
請求項１の用紙搬送装置および請求項４の画像形成装置によれば、第３案内部材が、用紙を案内する案内姿勢と案内面を開放する開放姿勢との間で回転可能に支持されていない場合と比較して、上流側搬送路上で詰まった用紙を引き抜く際の引抜き抵抗が抑えられる。
【００１３】
また、請求項１の用紙搬送装置によれば、第１案内部材および第３案内部材の両方が開放姿勢に回転したときに、第１案内部材と第３案内部材との間隔を広げることができる。
【００１４】
請求項２の用紙搬送装置および請求項４の画像形成装置によれば、第３案内部材と第２案内部材とが別体の案内部材である場合と比較して、第２搬送路と上流側搬送路の双方についての開放が簡単な構造で行われる。
【００１５】
請求項３の用紙搬送装置および請求項５の画像形成装置によれば、第３案内部材が自重以外の回転機構等により回転する場合と比べて、構造が簡単である。
【００１６】
請求項６の用紙搬送装置および請求項１１の画像形成装置によれば、第２案内部材が上流側搬送路の一方の案内面を開放しない場合と比較して、この上流側搬送路上で詰まった用紙を引き抜く際の引抜き抵抗が抑えられる。
請求項８の用紙搬送装置によれば、例えば、回転時に第１案内部材を第２案内部材から離れる方向に移動させる機構を設ける場合と比べて、構造が簡単である。
請求項９の用紙搬送装置によれば、第２案内部材が自重以外の回転機構等により回転する場合と比べて、構造が簡単である。
請求項１０の用紙搬送装置によれば、第２案内部材が、第２搬送路の一方の案内面と上流側搬送路の一方の案内面との双方を開放しない場合と比べて、第２搬送路と上流側搬送路の双方についての開放が簡単な構造で行われる。
【図面の簡単な説明】
【００１７】
【図１】本発明の一実施形態である画像形成装置の外観を示す斜視図である。
【図２】図１に示す後面パネルが開かれた画像形成装置を示す斜視図である。
【図３】図１に示す画像形成装置の内部構成の概略を示す断面図である。
【図４】用紙が搬送中に詰まった場合に、後面パネルが開かれ、第１可動案内部材が回転した状態の画像形成装置を、図３と同様の断面で示す図である。
【図５】第１可動案内部材と第２可動案内部材が案内姿勢にあるときの用紙搬送部を、装置本端の内側から後面パネル側へと向かう方向に見た斜視図である。
【図６】第１可動案内部材と第２可動案内部材が開放姿勢にあるときの用紙搬送部を、図５と同じ方向に見た斜視図である。
【図７】第１可動案内部材と第２可動案内部材が開放姿勢にあるときの用紙搬送部を、図６中の矢印Ｉの方向から見た斜視図である。
【図８】図５に示す案内姿勢にあるときの第２可動案内部材を、装置本端の内側から後面パネル側へと向かう方向に見た斜視図である。
【図９】第２可動案内部材を、端縁に設けられている２つの切欠き部に注目して示す斜視図である。
【図１０】開放姿勢まで回転した状態の第２可動案内部材を示す斜視図である。
【図１１】第２可動案内部材を、図８中の矢印Ｊの方向から見た模式的な側面図である。
【発明を実施するための形態】
【００１８】
以下、図面を参照して本発明の実施形態について説明する。
【００１９】
［画像形成装置の全体構成］
図１は、本発明の一実施形態である画像形成装置の外観を示す斜視図である。
【００２０】
図１に示す画像形成装置１は、用紙上に電子写真方式により画像を形成するモノクロのプリンタであり、後述の画像形成部等を内蔵した装置本体１１を有している。
【００２１】
装置本体１１の上面には、画像が形成された用紙を矢印Ａ方向に排出する後述の排出口を覆うカバー１１ａが矢印Ｂ方向に開閉可能に取り付けられている。そして、開かれた状態のカバー１１ａは、矢印Ａ方向に排出された用紙が載る台の役割を果たす。
【００２２】
また、装置本体１１の上面には、ユーザによって操作される各種の操作ボタン１１ｂ、および、各種情報が表示される表示画面１１ｃが設けられている。
【００２３】
さらに、装置本体１１の、図中右側に示されている後面には、矢印Ｃ方向に開閉可能な後面パネル１１ｄが取り付けられている。この後面パネル１１ｄは、画像形成装置１の内部で用紙が詰まった場合に開かれる。
【００２４】
図２は、図１に示す後面パネルが開かれた画像形成装置を示す斜視図である。
【００２５】
後面パネル１１ｄが開方向Ｃ’に開かれると、画像形成装置１の内部が露わとなり、詳細については後述するように、詰まった用紙の少なくとも一部が露出される。ユーザは、露出した用紙の一部を掴んで、残りの部分を画像形成装置１から引き抜くこととなる。
【００２６】
図３は、図１に示す画像形成装置の内部構成の概略を示す断面図である。
【００２７】
装置本体１１には、制御部１０、画像形成部２０、用紙収容部３０、および用紙搬送部１００が収納されている。
【００２８】
制御部１０は、画像形成装置１内の各構成要素の動きを制御する。また、制御部１０には、画像形成装置１の外部から画像信号が入力される。ここで、この画像形成装置１では、画像を用紙の片面のみに形成する片面モードと、画像を用紙の両面に形成する両面モードとの２つの画像形成モードのうち選択されたモードで動作する。制御部１０には、画像信号とともに、その画像信号が表す画像を片面モードと両面モードとのいずれの画像形成モードで形成するかを指示する指示信号も入力される。画像形成装置１では、この制御部１０の制御の下、入力されてきた画像信号や指示信号やに基づく画像の形成が行われる。
【００２９】
画像形成部２０は、搬送されてきた用紙に画像を形成するものであり、感光体ドラム２１、帯電器２２、露光器２３、現像器２４、転写器２５、清掃器２６、および定着器２７を有している。
【００３０】
感光体ドラム２１は、円筒状の表面を有しており、図示しないモータによって円筒の軸周りである矢印Ｄ方向に回転駆動する。感光体ドラム２１は、表面に形成される静電潜像およびトナー像を保持する。
【００３１】
帯電器２２は、感光体ドラム２１の表面を帯電させる。帯電器２２は、ここに示す例では、感光体ドラム２１に接触して回転する帯電ロールであるが、他の例としては、例えばコロトロンによる非接触式の帯電手段も採用され得る。
【００３２】
露光器２３は、感光体ドラム２１を露光して感光体ドラム２１上に静電潜像を形成する。露光器２３は、帯電器２２によって帯電された感光体ドラム２１の表面を、外部から供給される画像信号に基づいた制御部１１の制御の下、光ビームＢｍで走査し、感光体ドラム２１の表面上に潜像を形成する。
【００３３】
現像器２４は、感光体ドラム２１上の潜像をトナーで現像して感光体ドラム２１上にトナー像を形成する。
【００３４】
転写器２５は、感光体ドラム２１との間に用紙を挟んで回転するロールであり、感光体ドラム２１上のトナー像を用紙上に転写する。
【００３５】
清掃器２６は、感光体ドラム２１上に接触し、用紙へのトナー像の転写後に感光体ドラム２１上に残存するトナーを除去することにより感光体ドラム２１を清掃する。清掃器２６は、感光体ドラム２１に沿って延びた板状のブレードである。
【００３６】
定着器２７は、感光体ドラム２１から転写を受けたトナー像を、加熱および加圧することにより用紙上に定着する。
【００３７】
画像形成装置１では、以上に説明した画像形成部１０の下側に、用紙収容部３０が配置されている。
【００３８】
用紙収容部３０は、画像が形成される用紙を収容している。
【００３９】
画像形成装置１では、後面パネル１１ｄが設けられている後面とは反対側の前面に、矢印Ｅ方向に開閉可能な前面パネル１１ｅが取り付けられている。この前面パネル１１ｅは、用紙収容部３０への用紙の補給の際に開かれる。用紙の補給の際には、ユーザによって前面パネル１１ｅが開かれて用紙収容部３０が露出され、ユーザによって、その用紙収容部３０に用紙が補給される。
【００４０】
用紙搬送部１００は、用紙を、第１搬送路Ｒ１上および第２搬送路Ｒ２上を搬送する。
【００４１】
第１搬送路Ｒ１は、用紙収容部３０から、後述のレジストレーションロール１０２、転写器２５によって転写が行われる転写位置、および、定着器２７によって定着を受ける定着位置を経由して排出口１１ｆに至る搬送路である。
【００４２】
画像形成モードが片面モードである場合、用紙搬送部１００は、第１搬送路Ｒ１上を搬送した用紙を排出口１１ｆから矢印Ａ方向に排出する。
【００４３】
第２搬送路Ｒ２は、排出口１１ｆと定着器２７との間で第１搬送路Ｒ１から分岐し、第１搬送路Ｒ１と後面パネル１１ｄとの間を通って延び、弧を描いて湾曲しレジストレーションロール１０２に至って第１搬送路Ｒ１に合流する搬送路である。
【００４４】
画像形成モードが両面モードである場合、用紙搬送部１００は、用紙を、まず、第１搬送路Ｒ１上を矢印Ｆ１方向に搬送する。この第１搬送路Ｒ１上を搬送中に用紙の第１面に画像が形成される。そして、第１面に画像が形成され定着位置を通過した用紙の搬送方向を反転し、第２搬送路Ｒ２上を矢印Ｆ２方向にその用紙を搬送する。さらに、用紙搬送部１００は、この第２搬送路Ｒ２上を搬送した用紙を転写位置よりも上流側のレジストレーションロール１０２に搬送する。用紙は、レジストレーションロール１０２によって再び第１の搬送路Ｒ１に送り込まれる。そして、用紙は、この第１搬送路Ｒ１上を、感光体ドラム２１に第２面を向けて搬送される。そして、この２回目の第１搬送路Ｒ１上の搬送中に用紙の第２面に画像が形成される。このように両面に画像が形成された用紙が排出口１１ｆから排出される。
【００４５】
この用紙搬送部１００は、取出しロール１０１、レジストレーションロール１０２、排出ロール１０３、反転搬送ロール１０４、固定案内部材１０５、第１可動案内部材１０６、および第２可動案内部材１０７を備えている。
【００４６】
取出しロール１０１は、用紙収容部３０から用紙を１枚ずつ取り出して、第１搬送路Ｒ１上をレジストレーションロール１０２へと搬送する。
【００４７】
レジストレーションロール１０２は、感光体ドラム２１にトナー像が形成されるタイミングに合わせて、用紙を、第１搬送路Ｒ１上を転写位置へと搬送する。
【００４８】
排出ロール１０３は、第１搬送路Ｒ１上を搬送されて定着位置を通過した用紙を画像形成装置１の外部に排出する。排出ロール１０３によって排出された用紙は、画像形成装置１の上部に設けられた排出台１１ｇ、および、開かれた状態のカバー１１ａの上に排出される。排出ロール１０３は、両面モードでは、用紙を途中まで搬送した状態で逆転し、用紙を第２の搬送路Ｒ２へと搬送する。
【００４９】
反転搬送ロール３５は、排出ロール１０３の逆転によって搬送されてきた用紙を、第２の搬送路Ｒ２上をレジストレーションロール１０２に向かって矢印Ｆ２方向に搬送する。
【００５０】
固定案内部材１０５は、装置本体１１に固定されている部材であって、第１固定案内部材１０５ａ、第２固定案内部材１０５ｂ、第３固定案内部材１０５ｃ、第４固定案内部材１０５ｄ、および第５固定案内部材１０５ｅを有している。
【００５１】
第１固定案内部材１０５ａは、取出しロール１０１とレジストレーションロール１０２の間に配置されている。第１固定案内部材１０５ａは、第２の可動案内部材１０７との間に第１搬送路Ｒ１を空けて対面する。そして、第１固定案内部材１０５ａは、取出しロール１０１によって取り出された用紙を、この第２の可動案内部材１０７とともに、レジストレーションロール１０２まで第１搬送路Ｒ１上に案内する。
【００５２】
第２固定案内部材１０５ｂは、レジストレーションロール１０２と定着位置の間に配置されている。第２固定案内部材１０５ｂは、第１可動案内部材１０６との間に第１搬送路Ｒ１を空けて対面する。そして、第２固定案内部材１０５ｂは、レジストレーションロール１０２によって搬送されてきた用紙を、第１可動案内部材１０６とともに、転写位置まで第１搬送路Ｒ１上に案内する。
【００５３】
第３固定案内部材１０５ｃは、定着ロール２７と排出ロール１０３の間に配置されている。第３固定案内部材１０５ｃは、定着ロール２７によって定着を受けて搬送されてきた用紙を、排出ロール１０３まで沿わせて第１搬送路Ｒ１上に案内する。
【００５４】
第４固定案内部材１０５ｄは、装置本体１１内の上側に配置されて定着ロール２７を支持している。第４固定案内部材１０５ｄは、用紙を、定着ロール２７まで沿わせて第１搬送路Ｒ１上に案内する。また、第４固定案内部材１０５ｄは、第５固定案内部材１０５ｅおよび第１可動案内部材１０６それぞれとの間に第２搬送路Ｒ２を空けて対面する。
【００５５】
そして、第４固定案内部材１０５ｄは、排出ロール１０３の逆転によって搬送されてきた用紙を、第５固定案内部材１０５ｅおよび第１可動案内部材１０６とともに第２搬送路Ｒ２上に案内する。
【００５６】
第５固定案内部材１０５ｅは、第４固定案内部材１０５ｄの上方に、第４固定案内部材１０５ｄとの間に第２搬送路Ｒ２を空けて対面する。第５固定案内部材１０５ｅは、排出ロール１０３の逆転によって搬送されてきた用紙を、第４固定案内部材１０５ｄとともに第２搬送路Ｒ２上に案内する。
【００５７】
第１可動案内部材１０６は、搬送されてきた用紙を、第１搬送路Ｒ１上に案内し、反転して戻ってきた用紙を、レジストレーションロール１０２まで第２搬送路に案内する。
【００５８】
また、第１可動案内部材１０６は、装置本体１１の下部を、用紙の搬送方向に交わる方向に延びる第１回転軸１０６ａを中心に案内姿勢と開放姿勢との間で回転可能に支持されている。案内姿勢は、用紙を上記のように案内する、図３に示されている姿勢である。開放姿勢は、案内姿勢から回転して、第１搬送路Ｒ１の第１可動案内部材１０６側を開放する姿勢である。この開放姿勢については、後で詳細に説明する。
【００５９】
ここで、後面パネル１１ｄは、第１可動案内部材１０６に固定されており、図１および図２に示す矢印Ｃ方向の後面パネル１１ｄの回転は、この第１可動案内部材１０６の、案内姿勢と開放姿勢との間の回転と同義である。
【００６０】
この第１可動案内部材１０６は、互いの間に第２搬送路Ｒ２を空けて対面した内側部分１０６＿１と外側部分１０６＿２を有している。
【００６１】
内側部分１０６＿１は、第１可動案内部材１０６が案内姿勢にあるときには、上記の第２固定案内部材１０５ｂとの間に第１搬送路Ｒ１を空けて対面する。そして、内側部分１０６＿１は、レジストレーションロール１０２によって搬送されてきた用紙を、第２固定案内部材１０５ｂとともに、転写位置まで第１搬送路Ｒ１上に案内する。さらに、内側部分１０６＿１は、転写位置を通過してきた用紙を、第４固定案内部材１０５ｄまで沿わせて第１搬送路Ｒ１上に案内する。
【００６２】
また、内側部分１０６＿１は、第１可動案内部材１０６が案内姿勢にあるときには、反転して戻ってきた用紙をレジストレーションロール１０２まで第２搬送路Ｒ２に案内する。
【００６３】
ここで、第２搬送路Ｒ２は、上述したように、弧を描いて湾曲しレジストレーションロール１０２に至って第１搬送路Ｒ１に合流する。内側部分１０６＿１は、第１可動案内部材１０６が案内姿勢にあるときに、この第２搬送路Ｒ２が弧を描いている湾曲部では、この第２搬送路Ｒ２の、案内される用紙の凹曲面側と対面する案内面を構成する。
【００６４】
また、第１可動案内部材１０６が案内姿勢にあるときには、この第２搬送路Ｒ２が弧を描いている湾曲部では、内側部分１０６＿１は、第２可動案内部材１０７との間に第２搬送路Ｒ２を空けて対面する。そして、内側部分１０６＿１は、この湾曲部では、第２可動案内部材１０７とともに用紙をレジストレーションロール１０２まで第２搬送路Ｒ２に案内する。
【００６５】
外側部分１０６＿２は、第１可動案内部材１０６が案内姿勢にあるときには、第４固定案内部材１０５ｄとの間に第２搬送路Ｒ２を空けて対面する。外側部分１０６＿２は、第４固定案内部材１０５ｄと第５固定案内部材１０５ｅの間の第２搬送路Ｒ２を通過してきた用紙を、第４固定案内部材１０５ｄとともに引き続き第２搬送路Ｒ２上に案内する。
【００６６】
さらに、外側部分１０６＿２は、反転搬送ロール１０４の下流側まで、内側部分１０６＿１との間に第２搬送路Ｒ２を空けて対面している。そして、外側部分１０６＿２は、用紙を、この反転搬送ロール１０４の下流側まで、内側部分１０６＿１とともに第２搬送路Ｒ２に案内する。この下流側以降では、内側部分１０６＿１と第２可動案内部材１０７が、協同して用紙をレジストレーションロール１０２まで第２搬送路Ｒ２に案内する。
【００６７】
ここで、反転搬送ロール１０４は、内側部分１０６＿１と外側部分１０６＿２とに支持されている。また、転写器２５は、内側部分１０６＿１に支持されている。このため、第１可動案内部材１０６が、図３に示す案内姿勢から、後述の開放姿勢に回転するときには、反転搬送ロール１０４と転写器２５も第１可動案内部材１０６と一緒に移動する。
【００６８】
第２可動案内部材１０７は、装置本体１１の下部を、用紙の搬送方向に交わる方向に延びる、第１可動案内部材１０６の第１回転軸１０６ａよりも、第２搬送路Ｒ２が弧を描いている湾曲部に近い第２回転軸１０７ａを中心に回転可能に支持されている。
【００６９】
第１可動案内部材１０６が案内姿勢にあるときには、第２可動案内部材１０７は、この第１可動案内部材１０６に支えられて、内側部分１０６＿１との間に第２搬送路Ｒ２を空けて対面した姿勢となる。つまり、案内姿勢にある第２可動案内部材１０７は、第２搬送路Ｒ２の、この内側部分１０６＿１側の案内面に対面する他方の案内面を構成する。
【００７０】
また、第２可動案内部材１０７は、この案内姿勢にあるときに、第１固定案内部材１０５ａとの間に第１搬送路Ｒ１を空けて対面する。つまり、案内姿勢にある第２可動案内部材１０７は、第１搬送路Ｒ１のうちの、レジストレーションロール１０２よりも上流側の上流側搬送路の一方の案内面を構成する。この上流側搬送路の他方の案内面は、第１固定案内部材１０５ａによって構成される。
【００７１】
尚、本実施形態では、第２可動案内部材１０７が、第２搬送路Ｒ２の案内面を構成する案内部材と、第１搬送路Ｒ１のうちの上流側搬送路の案内面を構成する案内部材とを兼ねている。しかしながら、本実施形態とは異なり、これら２つの案内部材それぞれを個別に設けても良い。
【００７２】
このように第１可動案内部材１０６の内側部分１０６＿１との間に第２搬送路Ｒ２を空けて対面するとともに、第１固定案内部材１０５ａとの間に第１搬送路Ｒ１を空けて対面する姿勢を、第２可動案内部材１０７の案内姿勢と呼ぶ。
【００７３】
第２可動案内部材１０７は、案内姿勢にあるときには、取出しロール１０１によって取り出された用紙を、この第１固定案内部材１０５ａとともに、レジストレーションロール１０２まで第１搬送路Ｒ１上に案内する。
【００７４】
また、第２可動案内部材１０７は、案内姿勢にあるときには、第２搬送路Ｒ１を搬送されてきた用紙を、第１可動案内部材１０６の内側部材１０６＿１とともに、レジストレーションロール１０２まで引き続き第２搬送路Ｒ１上に案内する。
【００７５】
［画像形成装置の基本動作］
図１に示す画像形成装置１の基本動作を説明する。
【００７６】
画像形成部２０では、感光体ドラム２１が矢印Ｄ方向に回転駆動され、感光体ドラム２１の表面に帯電器２２によって電荷が付与される。露光器２３は、外部から供給される画像信号に基づく露光光を感光体ドラム２１の表面に照射することで、感光体ドラム２１の表面に静電潜像を形成する。感光体ドラム２１は、静電潜像を保持しながら回転する。
【００７７】
現像器２４は、感光体ドラム２１上の静電潜像をトナーで現像することで、トナー像を形成する。感光体ドラム２１は、現像器２４によって形成されたトナー像を保持しながら回転する。
【００７８】
用紙収容部３０に収容された用紙は、取出しロール１０１によって取り出され、レジストレーションロール１０２によって第１搬送路Ｒ１を転写器２５に向かって搬送される。用紙は、レジストレーションロール１０２によって、感光体ドラム２１上にトナー像が形成されていくタイミングに合わせて、転写位置に送り込まれる。転写器２５は、感光体ドラム２１と用紙との間に転写用のバイアス電圧を与えることによって、感光体ドラム２１のトナー像を用紙に転写する。転写器２５による転写後、感光体ドラム２１に残存したトナーは、清掃器２６によって除去される。転写器２５によって、トナー像が転写された用紙は定着器２７に搬送され、転写されたトナー像が用紙上に定着される。このようにして、用紙上に画像が形成される。
【００７９】
画像形成モードが片面モードである場合には、このように画像が形成された用紙は、排出ロール１０３によって排出台１１ｇ、および、開かれた状態のカバー１１ａの上に排出される。
【００８０】
画像形成モードが両面モードである場合には、第１面にこのように画像が形成された用紙は、排出ロール１０３によって搬送方向が反転されて第２搬送路Ｒ２をレジストレーションロール１０２まで搬送される。そして、用紙は、レジストレーションロール１０２によって再び第１の搬送路Ｒ１に送り込まれる。そして、用紙は、この第１搬送路Ｒ１上を、感光体ドラム２１に第２面を向けて搬送される。そして、この２回目の第１搬送路Ｒ１上の搬送中に用紙の第２面に画像が形成される。このように両面に画像が形成された用紙が排出ロール１０３によって排出される。
［用紙が詰まったときの、用紙の除去］
ここで、画像形成装置１の内部で用紙が搬送中に詰まった場合、上述したように後面パネル１１ｄが開方向Ｃ’（図２参照）に開かれる。
【００８１】
以下、用紙が詰まったときの、用紙の除去について説明する。
【００８２】
後面パネル１１ｄは、第１可動案内部材１０６の外側部分１０６＿２に固定されており、後面パネル１１ｄと第１可動案内部材１０６が一体となっている。このため、後面パネル１１ｄが開かれることは、第１可動案内部材１０６が第１回転軸１０６ａを中心に回転することを意味する。
【００８３】
図４は、用紙が搬送中に詰まった場合に、後面パネルが開かれ、第１可動案内部材が回転した状態の画像形成装置を、図３と同様の断面で示す図である。
【００８４】
この図４には、第２搬送路Ｒ２を搬送中の用紙Ｐが詰まった例が示されている。
【００８５】
この図４に示すように、後面パネル１１ｄと第１可動案内部材１０６は一緒に、第１回転軸１０６ａを中心に開方向Ｃ’に回転する。
【００８６】
第１可動案内部材１０６が回転すると、第１搬送路Ｒ１の第１可動案内部材１０６側が開放される。この第１搬送路Ｒ１の第１可動案内部材１０６側が開放された姿勢が、第１可動案内部材１０６の開放姿勢である。
【００８７】
本実施形態では、第２可動案内部材１０７は、第２回転軸１０７ａよりも装置本体１１の内側寄りの部分よりも、第２回転軸１０７ａよりも後面パネル１１ｄ寄りの部分の方が重く、後面パネル１１ｄ側に重心がずれている。
【００８８】
このため、第１可動案内部材１０６が開放姿勢へと回転すると、第２可動案内部材１０７は、支えを失って、上記の重心のずれのために、図３に示す案内姿勢から、第２回転軸１０７ａを中心に、矢印Ｇ方向、即ち後面パネル１１ｄ側に自重により回転する。このように回転した第２可動案内部材１０７の姿勢を、第２可動案内部材１０７の開放姿勢と呼ぶ。
【００８９】
ここで、第１可動案内部材１０６の第１回転軸１０６ａは、第２可動案内部材１０７の第２回転軸１０７ａよりも、第２搬送路Ｒ２の、図２に示す弧を描いた湾曲部から離れている。このため、第１可動案内部材１０６が第１回転軸１０６ａを中心に回転し、第２可動案内部材１０７が第２回転軸１０７ａを中心に回転すると、回転軸の位置の違いから、第１可動案内部材１０６と第２可動案内部材１０７との間隔が矢印Ｈ方向に広がる。
【００９０】
第１可動案内部材１０６と第２可動案内部材１０７とが図３に示す案内姿勢にあるときには、第２搬送路Ｒ２で詰まった用紙Ｐの一部が、第２搬送路Ｒ２の、弧を描いた湾曲部に掛かっていることが多い。
【００９１】
仮に、第１可動案内部材１０６を開放姿勢へと回転させたときに、本実施形態とは異なり、第１可動案内部材１０６と第２可動案内部材１０７との間隔が維持されたままであったと仮定する。この場合、詰まった用紙Ｐを、弧を描いた湾曲部を含む第２搬送路Ｒ２から引き抜く必要が生じる。
【００９２】
一方、本実施形態では、第１可動案内部材１０６を開放姿勢へと回転させたときには、上記のように第１可動案内部材１０６と第２可動案内部材１０７との間隔が矢印Ｈ方向に広がる。その結果、用紙Ｐの、第１可動案内部材１０６と第２可動案内部材１０７とが案内姿勢にあるときに弧を描いた湾曲部に掛かっていた部分が延びる。そして、ユーザは、用紙Ｐを除去する際には、第２搬送路Ｒ２の、弧を描いた湾曲部を除いた、直線に近い形状の部分から用紙Ｐを引き抜くこととなる。このような直線に近い形状の部分から用紙Ｐを引き抜くときの引抜き抵抗は、上記の仮定において弧を描いた湾曲部を含む第２搬送路Ｒ２から用紙Ｐを引き抜くときの引抜き抵抗よりも抑えられたものとなる。
【００９３】
また、本実施形態では、第２可動案内部材１０７は、案内姿勢では、上述したように、第１搬送路Ｒ１のうちの、レジストレーションロール１０２よりも上流側の上流側搬送路の一方の案内面を構成する。そして、第１可動案内部材１０６の開放姿勢への回転に伴って第２可動案内部材１０７が回転すると、この上流側搬送路の上記の一方の案内面が開放される。
【００９４】
ここで、第１搬送路Ｒ１上で用紙が詰まったとき、その用紙の一部が上記の上流側搬送路に掛かっている場合がある。本実施形態では、後面パネル１１ｄが開かれると、第２可動案内部材１０７が回転してこの上流側搬送路の上記の一方の案内面が開放される。
【００９５】
このため、本実施形態では、上流側搬送路に掛かって詰まった用紙を、上流側搬送路を含む第１搬送路Ｒ１を引き抜くときの引抜き抵抗が、上流側搬送路の上記の一方の案内面が開放されない場合と比べて抑えられたものとなる。
【００９６】
ここで、本実施形態では、上流側搬送路に掛かった状態で第１搬送路Ｒ１上で詰まった用紙を引き抜く方法として、次の２通りの方法が可能となっている。１つは、後面パネル１１ｄ側から用紙を引き抜く方法である。この方法は、上流側搬送路には詰まった用紙の下端が掛かっているのみで、用紙の大部分が後面パネル１１ｄ側から視認される場合に採用される。もう１つの方法は、用紙収容部３０への用紙の補給の際に開かれる前面パネル１１ｅを開いて、この前面パネル１１ｅ側から用紙を引き抜く方法である。用紙収容部３０から取り出されて直ぐに用紙が詰まった場合、詰まった用紙の大部分が用紙収容部３０側にあって後面パネル１１ｄ側からでは用紙が視認しにくい場合がある。このような場合には、前面パネル１１ｅが開かれて、用紙がその前面パネル１１ｅ側から引き抜かれることとなる。
【００９７】
以下、第１可動案内部材１０６と第２可動案内部材１０７の案内姿勢と開放姿勢について、具体的な形状を図示してさらに詳細に説明する。
【００９８】
図５は、第１可動案内部材と第２可動案内部材が案内姿勢にあるときの用紙搬送部を、装置本端の内側から後面パネル側へと向かう方向に見た斜視図である。
【００９９】
この図５には、第１可動案内部材１０６と第２可動案内部材１０７が案内姿勢にあるときの用紙搬送部１００が、感光体ドラム２１、転写器２５、および定着器２７とともに示されている。
【０１００】
この図５では、第１可動案内部材１０６および第２可動案内部材１０７の、上述した第１の搬送路Ｒ１側の部分が見えている。
【０１０１】
取出しロール１０１によって搬送された用紙は、第１固定案内部材１０５ａと第２可動案内部材１０７とで挟まれた領域（第１の搬送路Ｒ１）をレジストレーションロール１０２まで案内される。レジストレーションロール１０２によって搬送されてきた用紙は、今度は、第２固定案内部材１０５ｂと第１可動案内部材１０６とで挟まれた領域（第１の搬送路Ｒ１）を感光体ドラム２１と転写器２５とに挟まれる転写位置まで案内される。
【０１０２】
転写位置を通過した用紙は、第１可動案内部材１０６に沿わされて定着器２７まで案内される。そして、定着器２７を通過した用紙は、第３固定案内部材１０５ｃに沿わされて排出ロール１０３まで案内される。
【０１０３】
画像形成モードが片面モードである場合には、用紙の片面に画像が形成された段階で排出ロール１０３から、図３に示す排出台１１ｇ、および、開かれた状態のカバー１１ａの上に用紙が排出される。一方、画像形成モードが両面モードである場合には、用紙の片面（第１面）に画像が形成された用紙は、排出ロール１０３によって搬送方向が反転されて、下流側で弧を描く第２搬送路Ｒ２をレジストレーションロール１０２まで搬送される。そして、用紙は、レジストレーションロール１０２によって再び第１の搬送路Ｒ１に送り込まれる。そして、用紙は、この第１搬送路Ｒ１上を、感光体ドラム２１に第２面を向けて搬送される。そして、この２回目の第１搬送路Ｒ１上の搬送中に用紙の第２面に画像が形成される。このように両面に画像が形成された用紙が排出ロール１０３から排出される。ただし、図５では、第２搬送路Ｒ２については隠れている。
【０１０４】
第１可動案内部材１０６および第２可動案内部材１０７の、第１搬送路Ｒ１側は、用紙の搬送方向に延びるリブが、この搬送方向に交わる方向に複数枚並べられた構造を有している。図５では、第２搬送路Ｒ２については隠れているが、第１可動案内部材１０６および第２可動案内部材１０７の、第２搬送路Ｒ２側も同様に、リブが複数枚並べられた構造を有している。
【０１０５】
図６は、第１可動案内部材と第２可動案内部材が開放姿勢にあるときの用紙搬送部を、図５と同じ方向に見た斜視図である。また、図７は、第１可動案内部材と第２可動案内部材が開放姿勢にあるときの用紙搬送部を、図６中の矢印Ｉの方向から見た斜視図である。
【０１０６】
後面パネル１１ｄが開方向Ｃ’に開かれると、その後面パネル１１ｄが固定されている第１可動案内部材１０６も、第１回転軸１０６ａを中心に開放姿勢へと回転する。転写器２５は、第１可動案内部材１０６に支持されているので、第１可動案内部材１０６が回転すると一緒に移動する。
【０１０７】
また、このときには、重心が後面パネル１１ｄ側に偏っていて、案内姿勢にある第１可動案内部材１０６によって支えられていた第２可動案内部材１０７が、支えを失って、第２回転軸１０７ａを中心に矢印Ｇ方向に開放姿勢へと自重により回転する。
【０１０８】
そして、第１可動案内部材１０６と第１回転軸１０６ａと第２回転軸１０７ａの位置の違いから、第２搬送路Ｒ２の、図２に示す弧を描いた湾曲部で、第１可動案内部材１０６と第２可動案内部材１０７との間隔が矢印Ｈ方向に広がる。また、このときには、第１搬送路Ｒ１のうちの、レジストレーションロール１０２よりも上流側の上流側搬送路の、第２可動案内部材１０７が構成している案内面が開放される。
【０１０９】
尚、本実施形態では、第１可動案内部材１０６が開放姿勢に回転すると、第２可動案内部材１０７が重心の偏りによって開放姿勢へと回転し、各部材の回転軸の位置の違いによって部材間の間隔が広がる構造となっている。ここで、第１可動案内部材１０６が開放姿勢に回転したときに第２可動案内部材１０７を回転させて部材間の間隔を広げる構造は、この本実施形態の構造に限るものではない。例えば、第１可動案内部材１０６と第２可動案内部材１０７とをリンク機構で繋ぎ、第１可動案内部材１０６が開放姿勢に回転したときに第２可動案内部材１０７を回転させて部材間の間隔を広げる構造であっても良い。本実施形態では、このようなリンク機構を用いる構造に比べて、構造が簡単なものとなっている。
［第２可動案内部材の形状］
以下、第２可動案内部材の形状について、さらに詳細に説明する。
【０１１０】
図８は、図５に示す案内姿勢にあるときの第２可動案内部材を、装置本端の内側から後面パネル側へと向かう方向に見た斜視図である。
【０１１１】
第２可動案内部材１０７の形状の説明に先立って、まず、この第２可動案内部材１０７によって用紙が案内されるレジストレーションロール１０２について説明する。
【０１１２】
この図８には、案内姿勢にあるときの第２可動案内部材１０７が、取出しロール１０１およびレジストレーションロール１０２とともに示されている。
【０１１３】
ここで、レジストレーションロール１０２は、第１の搬送部材１０２ａと第２の搬送部材１０２ｂとを有した搬送器である。
【０１１４】
第１の搬送部材１０２ａは、第１軸部材１０２ａ＿１と２つの第１ローラ１０２ａ＿２とを有している。
【０１１５】
第１軸部材１０２ａ＿１は、第１搬送路Ｒ１（図３参照）上の搬送方向Ｆ１および第２搬送路Ｒ２（図３参照）上の搬送方向Ｆ２の双方と交わる軸方向に延びており、図１や図２等に示す装置本体１１に支持されている。
【０１１６】
２つの第１ローラ１０２ａ＿２は、上記の軸方向に間隔を空けて第１軸部材１０２ａ＿１に固定されている。
【０１１７】
尚、第１の搬送部材１０２ａにおける第１ローラ１０２ａ＿２の個数は、本実施形態のように２つに限るものではなく、３つ以上であっても良い。
【０１１８】
第２の搬送部材１０２ｂは、第２軸部材１０２ｂ＿１と２つの第２ローラ１０２ｂ＿２とを有している。
【０１１９】
第２軸部材１０２ｂ＿１は、第１軸部材１０２ａ＿１と同様に、第１搬送路Ｒ１上の搬送方向Ｆ１および第２搬送路Ｒ２上の搬送方向Ｆ２の双方と交わる軸方向に延びており、装置本体１１に支持されている。
【０１２０】
２つの第２ローラ１０２ｂ＿２は、第２軸部材１０２ｂ＿１の、上記の２つの第１ローラ１０２ａ＿２と一対一に接する位置に固定されている。
【０１２１】
尚、第２の搬送部材１０２ｂについては、本実施形態では、２つの第１ローラ１０２ａ＿２と一対一に接する２つの第２ローラ１０２ｂ＿２を有する形態が例示されている。しかしながら、第２の搬送部材１０２ｂは、このような形態に限るものではなく、２つの第１ローラ１０２ａ＿２の両方と接する長さの１つのローラを有する形態であっても良い。
【０１２２】
第１の搬送部材１０２ａと第２の搬送部材１０２ｂは、２つの第１ローラ１０２ａ＿２と２つの第２ローラ１０２ｂ＿２との間に用紙を挟み、不図示のモータによって回転駆動されることで、互いに協同して用紙を第１搬送路Ｒ１上の搬送方向Ｆ１に搬送する。
【０１２３】
また、第１の搬送部材１０２ａと第２の搬送部材１０２ｂの回転駆動は、図３に示す感光体ドラム２１にトナー像が形成されるタイミングに合わせて行われる。これにより、レジストレーションロール１０２は、感光体ドラム２１にトナー像が形成されるタイミングに合わせて、用紙を、第１搬送路Ｒ１上を転写位置へと搬送する。
【０１２４】
第２可動案内部材１０７は、第１搬送路Ｒ１の搬送方向Ｆ１に搬送されてきた用紙、あるいは、第２搬送路Ｒ２の搬送方向Ｆ２に搬送されてきた用紙を、第１の搬送部材１０２ａと第２の搬送部材１０２ｂの間に案内する。
【０１２５】
また、搬送方向Ｆ１に搬送されてきた用紙や、搬送方向Ｆ２に搬送されてきた用紙は、各々、第１搬送路Ｒ１の形状や第２搬送路Ｒ２の形状に応じて湾曲している。第２可動案内部材１０７は、これら湾曲した用紙の凸曲面側に接して案内する。
【０１２６】
ここで、第２可動案内部材１０７は、レジストレーションロール１０２に隣接した案内姿勢において、第１軸部材１０２ａ＿１や第２軸部材１０２ｂ＿１が延びる軸方向に延びる端縁１０７＿１を有している。そして、第２可動案内部材１０７のこの端縁１０７＿１に、次のような２つの切欠き部１０７ｂが設けられている。
【０１２７】
図９は、第２可動案内部材を、端縁に設けられている２つの切欠き部に注目して示す斜視図である。
【０１２８】
この図９では、２つの切欠き部１０７ｂが見やすいように、図８では示されていた取出しロール１０１が除かれている。
【０１２９】
切欠き部１０７ｂは、第２可動案内部材１０７の端縁１０７＿１の、第１の搬送部材１０２ａにおける２つの第１ローラ１０２ａ＿２それぞれに対向する２箇所に設けられている。
【０１３０】
第２可動案内部材１０７は、上述したように、詰まった用紙の除去の際には、第２回転軸１０７ａを中心に矢印Ｇ方向に開放姿勢へと回転する。
【０１３１】
図１０は、開放姿勢まで回転した状態の第２可動案内部材を示す斜視図である。
【０１３２】
この図１０に示すように、第２可動案内部材１０７が開放姿勢へと回転する矢印Ｇ方向は、第２可動案内部材１０７が、第１の搬送部材１０２ａの側へと倒れる方向となっている。
【０１３３】
そして、この回転の際に、第１の搬送部材１０２ａにおける２つの第１ローラ１０２ａ＿２それぞれが、２つの切欠き部１０７ｂそれぞれの内側を通過する。これにより、第２可動案内部材１０７は、２つの第１ローラ１０２ａ＿２と接触することなく、開放姿勢まで回転することとなっている。
【０１３４】
ここで、第２可動案内部材１０７の、第１搬送路Ｒ１（図３参照）側および第２搬送路Ｒ２（図３参照）側それぞれにおける、各切欠き部１０７ｂの搬送方向上流側に隣接する位置には、搬送されてきた用紙を押す方向に膨らんだ膨み部１０７ｃが形成されている。
【０１３５】
図８および図９にも、第２可動案内部材１０７の第１搬送路Ｒ１側に形成された膨み部１０７ｃが示されている。
【０１３６】
上述したように、第２可動案内部材１０７の、第１搬送路Ｒ１側および第２搬送路Ｒ２側は、用紙の搬送方向に延びるリブが、この搬送方向に交わる方向に複数枚並べられた構造を有している。上記の膨み部１０７ｃは、これらのリブよりも、用紙側に突出して膨らんでいる。
【０１３７】
図１１は、第２可動案内部材を、図８中の矢印Ｊの方向から見た模式的な側面図である。
【０１３８】
この図１１には、一例として、取出しロール１０１によって第１搬送路Ｒ１（図３参照）の搬送方向Ｆ１に搬送されてきた用紙Ｐが、第２可動案内部材１０７によってレジストレーションロール１０２の第１搬送部材１０２ａと第２搬送部材１０２ｂの間に案内される例が示されている。
【０１３９】
ここで、仮に、第２可動案内部材１０７に膨み部１０７ｃが設けられていないものと仮定する。この場合、搬送方向Ｆ１に搬送されてきた用紙Ｐの、切欠き部１０７ｂ上を通過する部分が切欠き部１０７ｂの内側に落ち込んでしまうことがある。そして、このような落込みがあった場合、その落ち込んだ部分は、第１搬送部材１０２ａと第２搬送部材１０２ｂの間よりも第１搬送部材１０２ａ側にずれて搬送されることとなる。
【０１４０】
図１１には、用紙Ｐの切欠き部１０７ｂ上を通過する部分が、切欠き部１０７ｂの内側に落ち込んで第１搬送部材１０２ａ側にずれて搬送されている用紙Ｐ’が一点鎖線で示されている。このようにずれて搬送された部分の先端は、第１搬送部材１０２ａの第１ローラ１０２ａ＿２の周面に衝突する。このとき、第１搬送部材１０２ａと第２搬送部材１０２ｂが回転中であれば、このようにずれて搬送された部分の先端も、第１ローラ１０２ａ＿２の周面によって第１搬送部材１０２ａと第２搬送部材１０２ｂの間へと案内される。しかし、レジストレーションロール１０２は、感光体ドラム２１（図３参照）にトナー像が形成されるタイミングに合わせて用紙をするために、用紙の先端が接触状態のまま搬送を停止した搬送停止状態と、接触状態にある用紙を搬送する搬送状態とを繰り返す。そして、レジストレーションロール１０２は、多くの場合、取出しロール１０１から用紙が搬送されてくる時点では搬送停止状態となっている。そして、用紙Ｐの先端における、このような搬送停止状態の第１搬送部材１０２ａの第１ローラ１０２ａ＿２の周面に衝突した部分には、衝突の衝撃で変形が生じてしまうことがある。
【０１４１】
このような事態は、第２搬送路Ｒ２の搬送方向Ｆ２に搬送されてきた用紙についても同様に生じ得る。搬送方向Ｆ２に搬送されてきた用紙の場合、切欠き部１０７ｂの内側に落ち込んだ部分が、第２搬送部材１０２ｂ側にずれて搬送され、その先端が第２ローラ１０２ｂ＿２の周面に衝突することがある。
【０１４２】
一方、本実施形態では、切欠き部１０７ｂの搬送方向上流側に隣接する位置には膨み部１０７ｃが形成されている。搬送されてきた用紙Ｐの、切欠き部１０７ｂ上を通過する部分はこの膨み部１０７ｂによって押されて、第１搬送部材１０２ａと第２搬送部材１０２ｂの間に案内される。
【０１４３】
図１１の例の場合、用紙Ｐの、切欠き部１０７ｂ上を通過する部分は、膨み部１０７ｃによって第２搬送部材１０２ｂ側に押されて、第１搬送部材１０２ａと第２搬送部材１０２ｂの間に案内される。
【０１４４】
第２搬送路Ｒ２の搬送方向Ｆ２に搬送されてきた用紙については、用紙Ｐの、切欠き部１０７ｂ上を通過する部分は、膨み部１０７ｃによって第１搬送部材１０２ａ側に押されて、第１搬送部材１０２ａと第２搬送部材１０２ｂの間に案内される。
【０１４５】
また、本実施形態では、図８および図９に示されているように、膨み部１０７ｃは、切欠き部１０７ｂの１つにつき、軸方向に連続した１つの凸曲面を有している。
【０１４６】
尚、用紙を押す膨み部としては、本実施形態とは異なり、軸方向に複数のリブを並べたものも考えられる。本実施形態の膨み部１０７ｃは、用紙Ｐの、切欠き部１０７ｂ上を通過する部分を、上記のような凸曲面により、複数のリブで用紙を押す場合と比べて広い面積で安定して押すこととなる。
【０１４７】
また、本実施形態では、画像形成装置１が用紙の両面に画像を形成する機能を有し、２つの搬送路を搬送されてきた用紙を案内する第２可動案内部材１０７の、各搬送路側に膨み部１０７ｃを設ける形態を例示している。しかしながら、膨み部は、例えば、画像形成装置が用紙の片面に画像を形成する機能のみを有し搬送路が１つである場合に、その用紙を搬送する案内部材のその１つの搬送路側に設けられるもの等であっても良い。
【０１４８】
また、本実施形態では、用紙をレジストレーションロール１０２へと案内する案内部材が可動の案内部材であって、その案内部材に膨み部１０７ｃを設ける形態を例示している。しかしながら、例えば、用紙を排出ロールへと案内する案内部材が可動の案内部材であって、その案内部材に膨み部が設けられるもの等であっても良い。
【０１４９】
また、本実施形態では、画像形成装置の一例としてモノクロのプリンタが例示されている。しかしながら、画像形成装置は、これに限るものではなく、カラープリンタであっても良い。さらに、画像形成装置は、プリンタに限るものでもなく、複写機やファクシミリであっても良い。
【符号の説明】
【０１５０】
１    画像形成装置
１１    装置本体
１１ａ    カバー
１１ｂ    操作ボタン
１１ｃ    表示画面
１１ｄ    後面パネル
１１ｅ    前面パネル
１１ｆ    排出口
１１ｇ    排出台
１０    制御部
２０    画像形成部
２１    感光体ドラム
２２    帯電器
２３    露光器
２４    現像器
２５    転写器
２６    清掃器
２７    定着器
３０    用紙収容部
１００    用紙搬送部
１０１    取出しロール
１０２    レジストレーションロール
１０２ａ    第１の搬送部材
１０２ａ＿１    第１軸部材
１０２ａ＿２    第１ローラ
１０２ｂ    第２の搬送部材
１０２ｂ＿１    第２軸部材
１０２ｂ＿２    第２ローラ
１０３    排出ロール
１０４    反転搬送ロール
１０５    固定案内部材
１０５ａ    第１固定案内部材
１０５ｂ    第２固定案内部材
１０５ｃ    第３固定案内部材
１０５ｄ    第４固定案内部材
１０５ｅ    第５固定案内部材
１０６    第１可動案内部材
１０６ａ    第１回転軸
１０６＿１    内側部分
１０６＿２    外側部分
１０７    第２可動案内部材
１０７＿１    端縁
１０７ａ    第２回転軸
１０７ｂ    切欠き部
１０７ｃ    膨み部
【図１】
0005942575.tif 000002
【図２】
0005942575.tif 000003
【図３】
0005942575.tif 000004
【図４】
0005942575.tif 000005
【図５】
0005942575.tif 000006
【図６】
0005942575.tif 000007
【図７】
0005942575.tif 000008
【図８】
0005942575.tif 000009
【図９】
0005942575.tif 000010
【図１０】
0005942575.tif 000011
【図１１】
0005942575.tif 000012